(57)【要約】【課題】  アクチュエータが閉鎖位置と開放位置とで安定した状態に維持され、また、アクチュエータがスムーズに回転できるコネクタを提供する。【解決手段】  各第２コンタクト４の上側はり部４ｂの先端部には、断面略三角形状又は扇形状の当接部４ｂ１が形成され、下側はり部４ｃの先端付近には、第２接点４ｃ１が形成されている。アクチュエータ５には、当接部に対応して切り欠き部５ｃ（内角は、略９０度に形成されている。）が形成されている。切り欠き部の一平面は、当接部の一面側に接触している。図示のアクチュエータが開放されている状態で、ＦＰＣをコネクタ１に挿入する。次に、アクチュエータ５をハウジング２に回転可能に支持されている両端部を中心として左回転させる。すると、アクチュエータの平坦部５ｄは、ＦＰＣを下方に押圧するので、ＦＰＣの各信号パターンは、各第２コンタクトの第２接点と接続する。切り欠き部の他の一平面は、当接部の他面側に接触する。【選択図】  図４
2007087633.tif 000002
【特許請求の範囲】
【請求項１】
接続対象物と接続するコネクタにおいて、
前記コネクタは、第１接点が形成されている一方側のはり部と前記一方側のはり部と対向配設されて断面略コ字状の係合部が形成されている他方側のはり部とを備える第１コンタクトと、第２接点が形成されている一方側のはり部と当該一方側のはり部と対向配設されて断面略三角形状の当接部が形成されている他方側のはり部とを備える第２コンタクトと、前記第１コンタクト及び前記第２コンタクトを保持するハウジングと、前記接続対象物を前記第１コンタクトの第１接点及び前記第２コンタクトの第２接点に向けて押圧するアクチュエータとを有し、
前記アクチュエータは、前記接続対象物を前記コネクタに挿入可能にする開放位置と、前記接続対象物を前記コネクタに接続する閉鎖位置との間で回転可能に前記コネクタに保持され、
前記アクチュエータは、前記第１コンタクトの係合部と係合するカム部と、前記第２コンタクトの当接部と当接する切り欠き部とを有し、
前記アクチュエータが閉鎖位置に回転した際、前記切り欠き部の一面と前記当接部の一面側とが当接することを特徴とするコネクタ。
【請求項２】
前記アクチュエータが開放位置に回転した際、前記切り欠き部の他の一面と前記当接部の他面側とが当接することを特徴とする請求項１記載のコネクタ。
【請求項３】
前記当接部が断面略三角形状に代えて断面略扇形状に形成されていることを特徴とする請求項１又は２記載のコネクタ。
【発明の詳細な説明】
【技術分野】
【０００１】
本発明は、ＦＰＣ（Flexible Printed Circuit）又はＦＦＣ（Flexible Flat Cable）等の接続対象物を基板等に接続するコネクタに関し、詳しく述べると、回転式アクチュエータにより接続対象物をコンタクトの接点部に押圧するコネクタに関する。
【背景技術】
【０００２】
従来のコネクタの要点について説明する（例えば、特許文献１参照。）。
【０００３】
コネクタ４１は、図７〜９に示されるように、ハウジング４２と、ハウジング４２に紙面に直交する方向に一定のピッチで配設されている多数の第１コンタクト４３と、図１０〜１２に示されるように、ハウジング４２に紙面に直交する方向に一定のピッチで配設されている多数の第２コンタクト４４と、ハウジング４２に両端部が回転可能に支持されているアクチュエータ４５とから構成されている。
【０００４】
各第１コンタクト４３と各第２コンタクト４４とは、図１３〜１７に示されるように、千鳥状に配列されている。
【０００５】
各第１コンタクト４３は、ベース部４３ａと、弾性変形可能な上側はり部４３ｂと、弾性変形可能な下側はり部４３ｃとを有する。ベース部４３ａの先端付近には、基板（図示せず）に接続する端子部４３ａ１が形成され、上側はり部４３ｂの先端には、断面略コ字形状の係合部４３ｂ１が形成され、下側はり部４３ｃの先端付近には、第１接点４３ｃ１が形成されている。
【０００６】
各第２コンタクト４４は、ベース部４４ａと、弾性変形可能な上側はり部４４ｂと、弾性変形可能な下側はり部４４ｃとを有する。ベース部４４ａの後端付近には、基板に接続する端子部４４ａ１が形成され、上側はり部４４ｂの先端部４４ｂ１には、丸みが形成され、下側はり部４４ｃの先端付近には、第２接点４４ｃ１が形成されている。
【０００７】
アクチュエータ４５には、各第１コンタクト４３の係合部４３ｂ１に対応する位置に各第１カム部４５ａと各貫通穴４５ｂとが形成されている。
【０００８】
また、アクチュエータ４５の先端一方側には、各第２コンタクト４４の上側はり部４４ｂの先端部４４ｂ１に対応して第２カム部（切り欠き部）４５ｃが形成されている。アクチュエータ４５の先端他方側には、ＦＰＣ５１を押圧するための平坦部４５ｄが形成されている。
【０００９】
図７は、アクチュエータ４５が開放されているときのコネクタ４１に、ＦＰＣ５１が挿入された状態を２点鎖線で示す。
【００１０】
図８と図１４は、ＦＰＣ５１が挿入されていないときに、アクチュエータ４５が閉鎖された状態を示す。
【００１１】
コネクタ４１とＦＰＣ５１との接続について説明する。
【００１２】
まず、図７と図１０に示されるアクチュエータ４５が開放されている状態で、ＦＰＣ５１をコネクタ４１に挿入する。次に、アクチュエータ４５をハウジング４２に回転可能に支持されている両端部を中心として左回転させる。すると、各第１カム部４５ａは、各第１コンタクト４３の係合部４３ｂ１に枢支（回転可能に支持されること。）されているので、ＦＰＣ５１を下方に押圧する。したがって、ＦＰＣ５１の各信号パターン（図示せず）は、各第１コンタクト４３の第１接点４３ｃ１と接続する。また、各第２カム部４５ｃは、各第２コンタクト４４の上側はり部４４ｂの先端部４４ｂ１に枢支されているので、アクチュエータ４５の平坦部４５ｄは、ＦＰＣ５１を下方に押圧する。したがって、ＦＰＣ５１の各信号パターン（図示せず）は、各第２コンタクト４４の第２接点４４ｃ１と接続する。
【００１３】
【特許文献１】特許第３２９５８０８号公報（第３頁第６欄第３８行〜第４頁第７欄第１８行、図１５〜２５）
【発明の開示】
【発明が解決しようとする課題】
【００１４】
前記従来のコネクタでは、第２コンタクト４４の上側はり部４４ｂの先端部４４ｂ１は、単純な丸みを有する形状である。したがって、アクチュエータ５は、閉鎖位置でも、開放位置でも、安定した状態に維持されず、また、アクチュエータ５は、スムーズに回転し難い。
【００１５】
したがって、本発明は、前記従来のコネクタの欠点を改良し、アクチュエータが閉鎖位置と開放位置とで安定した状態に維持され、また、アクチュエータがスムーズに回転することができるコネクタを提供しようとするものである。
【課題を解決するための手段】
【００１６】
本発明は、前記課題を解決するため、次の手段を採用する。
【００１７】
１．接続対象物と接続するコネクタにおいて、前記コネクタは、第１接点３ｃ１が形成されている一方側のはり部３ｃと前記一方側のはり部と対向配設されて断面略コ字状の係合部３ｂ１が形成されている他方側のはり部３ｂとを備える第１コンタクト３と、第２接点４ｃ１が形成されている一方側のはり部４ｃと当該一方側のはり部と対向配設されて断面略三角形状の当接部４ｂ１が形成されている他方側のはり部４ｂとを備える第２コンタクト４と、前記第１コンタクト及び前記第２コンタクトを保持するハウジング２と、前記接続対象物を前記第１コンタクトの第１接点及び前記第２コンタクトの第２接点に向けて押圧するアクチュエータ５とを有し、前記アクチュエータは、前記接続対象物を前記コネクタに挿入可能にする開放位置と、前記接続対象物を前記コネクタに接続する閉鎖位置との間で回転可能に前記コネクタに保持され、前記アクチュエータは、前記第１コンタクトの係合部と係合するカム部５ａと、前記第２コンタクトの当接部と当接する切り欠き部５ｃとを有し、前記アクチュエータが閉鎖位置に回転した際、前記切り欠き部の一面と前記当接部の一面側とが当接するコネクタ。
【００１８】
２．前記アクチュエータが開放位置に回転した際、前記切り欠き部の他の一面と前記当接部の他面側とが当接する前記１記載のコネクタ。
【００１９】
３．前記当接部が断面略三角形状に代えて断面略扇形状に形成されている前記１又は２記載のコネクタ。
【発明の効果】
【００２０】
明細書の説明から明らかなように、本発明は、次の効果を奏する。
【００２１】
１．第２コンタクトの他方側のはり部に断面略三角形状又は断面略扇形状の当接部が、形成され、アクチュエータの切り欠き部と当接するので、アクチュエータは、閉鎖位置でも、開放位置でも、安定した状態に維持される。
【００２２】
２．第２コンタクトの当接部が断面略扇形状に形成されているから、アクチュエータはスムーズに回転することができる。
【発明を実施するための最良の形態】
【００２３】
本発明の一実施例のコネクタについて説明する。
【実施例１】
【００２４】
本発明の実施例１について図１〜図６を参照して説明する。
【００２５】
コネクタ１は、図１〜３に示されるように、ハウジング２と、ハウジング２に紙面に直交する方向に一定のピッチで配設されている多数の第１コンタクト３と、図４〜６に示されるように、ハウジング２に紙面に直交する方向に一定のピッチで配設されている多数の第２コンタクト４と、ハウジング２に両端部が回転可能に支持されているアクチュエータ５とから構成されている。
【００２６】
各第１コンタクト３と各第２コンタクト４とは、千鳥状に配列されている。なお、千鳥状の配列については、図１３〜１７に示される従来のコネクタと同様である。
【００２７】
各第１コンタクト３は、ベース部３ａと、弾性変形可能な上側はり部３ｂと、弾性変形可能な下側はり部３ｃとを有する。ベース部３ａの先端付近には、基板（図示せず）に接続する端子部３ａ１が形成され、上側はり部３ｂの先端には、断面略コ字形状の係合部３ｂ１が形成され、下側はり部３ｃの先端付近には、第１接点３ｃ１が形成されている。
【００２８】
各第２コンタクト４は、ベース部４ａと、弾性変形可能な上側はり部４ｂと、弾性変形可能な下側はり部４ｃとを有する。ベース部４ａの後端付近には、基板に接続する端子部４ａ１が形成され、上側はり部４ｂの先端部には、断面略三角形状の当接部４ｂ１が形成され、下側はり部４ｃの先端付近には、第２接点４ｃ１が形成されている。
【００２９】
アクチュエータ５には、各第１コンタクト３の係合部３ｂ１に対応する位置に各カム部５ａと各貫通穴５ｂとが形成されている。
【００３０】
また、アクチュエータ５の先端一方側には、各第２コンタクト４の当接部４ｂ１に対応して切り欠き部５ｃが形成されている。切り欠き部５ｃの内角は、略９０度に形成されている。アクチュエータ５の先端他方側には、ＦＰＣ（図示せず）を押圧するための平坦部５ｄが形成されている。
【００３１】
図１と図４は、ＦＰＣが挿入されずに、アクチュエータ５が開放されている状態を示す。切り欠き部５ｃの一面５ｃ１の端部が当接部４ｂ１の一面側４ｂ２と当接している。アクチュエータ５が開放されると、各第１コンタクト３の第１接点３ｃ１とアクチュエータ５との間に隙間Ｇが生じ、この隙間ＧにＦＰＣを挿入する。
【００３２】
コネクタ１とＦＰＣとの接続について説明する。
【００３３】
まず、図１と図４に示されるアクチュエータ５が開放されている状態で、ＦＰＣをコネクタ１に挿入する。次に、アクチュエータ５をハウジング２に回転可能に支持されている両端部を中心として左回転させる。すると、アクチュエータ５は、図２と図５の垂直位置を経て図３と図６の水平位置に至る。この際、アクチュエータ５の先端部５ｅは、隙間Ｇ（図１参照）に進入する。
【００３４】
切り欠き部５ｃの他の一面５ｃ２が当接部４ｂ１の他面側４ｂ３の先端部と当接している。
【００３５】
この際、各カム部５ａは、各第１コンタクト３の係合部３ｂ１に枢支（回転可能に支持されること。）されているので、ＦＰＣを下方に押圧する。したがって、ＦＰＣの各信号パターンは、各第１コンタクト３の第１接点３ｃ１と接続する。また、各切り欠き部５ｃは、各第２コンタクト４の上側はり部４ｂの当接部４ｂ１に枢支されているので、アクチュエータ５の平坦部５ｄは、ＦＰＣを下方に押圧する。したがって、ＦＰＣの各信号パターンは、各第２コンタクト４の第２接点４ｃ１と接続する。なお、ＦＰＣの下面は、ハウジング２の壁２ａにより支持される。
【００３６】
各第２コンタクト４の当接部４ｂ１の先端側を広く、断面略三角形状に形成され、かつ、少なくとも二面が、平面であり、また、アクチュエータ５の各切り欠き部５ｃの二面が、平面である。したがって、アクチュエータ５は、開放位置（図１と図４）と閉鎖位置（図３と図６）とで、当接部４ｂ１に確実に接触するので、安定した状態に維持される。
【００３７】
実施例１における当接部４ｂ１の断面は、拡大すると、図４（Ｂ）に示される略三角形状であるが、図４（Ｃ）に示されるように、断面略扇形状に形成されると、アクチュエータ５の回転は、スムーズに行われる。
【図面の簡単な説明】
【００３８】
【図１】本発明の実施例１のコネクタにおいて、アクチュエータが開放されているときの同アクチュエータと第１コンタクトとの枢支構造を示す断面図である。
【図２】同コネクタにおいて、同アクチュエータが開放位置から若干回転したときの同アクチュエータと同第１コンタクトとの枢支構造を示す断面図である。
【図３】同コネクタにおいて、同アクチュエータが閉鎖されているときの同アクチュエータと同第１コンタクトとの枢支構造を示す断面図である。
【図４】（Ａ）は、同コネクタにおいて、同アクチュエータが開放されているときの同アクチュエータと第２コンタクトとの枢支構造を示す断面図、（Ｂ）は、同第２コンタクトの当接部の拡大断面図、（Ｃ）は、同当接部の一設計変更例の拡大断面図である。
【図５】同コネクタにおいて、同アクチュエータが開放位置から若干回転したときの同アクチュエータと同第２コンタクトとの枢支構造を示す断面図である。
【図６】同コネクタにおいて、同アクチュエータが閉鎖されているときの同アクチュエータと同第２コンタクトとの枢支構造を示す断面図である。
【図７】従来のコネクタにおいて、アクチュエータが開放されているときの同アクチュエータと第１コンタクトとの枢支構造を示す断面図である。
【図８】同コネクタにおいて、同アクチュエータが閉鎖されているときの同アクチュエータと同第１コンタクトとの枢支構造を示す断面図である。
【図９】ＦＰＣが挿入された同コネクタにおいて、同アクチュエータが閉鎖されているときの同アクチュエータと同第１コンタクトとの枢支構造を示す断面図である。
【図１０】同コネクタにおいて、同アクチュエータが開放されているときの同アクチュエータと同第２コンタクトとの枢支構造を示す断面図である。
【図１１】同コネクタにおいて、同アクチュエータが閉鎖されているときの同アクチュエータと同第２コンタクトとの枢支構造を示す断面図である。
【図１２】同ＦＰＣが挿入された同コネクタにおいて、同アクチュエータが閉鎖されているときの同アクチュエータと同第２コンタクトとの枢支構造を示す断面図である。
【図１３】同コネクタにおいて、同アクチュエータが開放されているときの同アクチュエータと同第１コンタクトとの枢支構造を示す斜視図である。
【図１４】同コネクタにおいて、同アクチュエータが閉鎖されているときの同アクチュエータと同第１コンタクトとの枢支構造を示す斜視図である。
【図１５】同コネクタにおいて、同アクチュエータが開放されているときの同アクチュエータと同第２コンタクトとの枢支構造を示す前方から見た斜視図である。
【図１６】同コネクタにおいて、同アクチュエータが閉鎖されているときの同アクチュエータと同第２コンタクトとの枢支構造を示す前方から見た斜視図である。
【図１７】同コネクタにおいて、同アクチュエータが開放されているときの同アクチュエータと同第２コンタクトとの枢支構造を示す後方から見た斜視図である。
【符号の説明】
【００３９】
１  コネクタ
２  ハウジング
２ａ  壁
３  第１コンタクト
３ａ  ベース部
３ａ１  端子部
３ｂ  上側はり部
３ｂ１  係合部
３ｃ  下側はり部
３ｃ１  第１接点
４  第２コンタクト
４ａ  ベース部
４ａ１  端子部
４ｂ  上側はり部
４ｂ１  当接部
４ｂ２  一面側
４ｂ３  他面側  
４ｃ  下側はり部
４ｃ１  第２接点
５  アクチュエータ
５ａ  第１カム部
５ｂ  貫通穴
５ｃ  切り欠き部
５ｃ１  一面
５ｃ２  他の一面
５ｄ  平坦部
５ｅ  先端部
【図１】
2007087633.tif 000003
【図２】
2007087633.tif 000004
【図３】
2007087633.tif 000005
【図４】
2007087633.tif 000006
【図５】
2007087633.tif 000007
【図６】
2007087633.tif 000008
【図７】
2007087633.tif 000009
【図８】
2007087633.tif 000010
【図９】
2007087633.tif 000011
【図１０】
2007087633.tif 000012
【図１１】
2007087633.tif 000013
【図１２】
2007087633.tif 000014
【図１３】
2007087633.tif 000015
【図１４】
2007087633.tif 000016
【図１５】
2007087633.tif 000017
【図１６】
2007087633.tif 000018
【図１７】
2007087633.tif 000019